【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
ワイヤレスノードによるワイヤレス通信のための方法であって、
優先トラフィックの送信のために、複数の送信時間間隔（ＴＴＩ）の各々において、セミパーシステントスケジューリング（ＳＰＳ）リソースのブロックを確立することと、  前記複数のＴＴＩのうちの第１のＴＴＩの間に送信すべき優先トラフィックのレベルが、優先トラフィックしきい値を下回ることを決定することと、
前記第１のＴＴＩにおける前記ＳＰＳリソースのブロックが、前記優先トラフィックのためにリザーブされていることからリリースされることを示すために、前記第１のＴＴＩの前に生じる、前記複数のＴＴＩのうちの先行するＴＴＩにおいてＴＴＩ毎リリース信号を送信することと
を備える方法。
【請求項２】
前記ワイヤレスノードは、ユーザ機器（ＵＥ）であり、前記優先トラフィックは、アップリンク優先トラフィックである、請求項１に記載の方法。
【請求項３】
送信機に、前記第１のＴＴＩの少なくとも一部分の間に、低電力状態に入るように命令すること
をさらに備える、請求項１に記載の方法。
【請求項４】
前記ＴＴＩ毎リリース信号を送信することは、
前記複数のＴＴＩのうちの前記先行するＴＴＩのデータチャネルにおいて、前記ＴＴＩ毎リリース信号を送信すること、ここにおいて、前記先行するＴＴＩは、前記第１のＴＴＩの直前に生じる、
を備える、請求項１に記載の方法。
【請求項５】
ワイヤレスノードによるワイヤレス通信のための方法であって、
優先トラフィックの受信のために、複数の送信時間間隔（ＴＴＩ）の各々において、セミパーシステントスケジューリング（ＳＰＳ）リソースのブロックを確立することと、
前記複数のＴＴＩのうちの第１のＴＴＩにおける前記ＳＰＳリソースのブロックが、前記優先トラフィックのためにリザーブされていることからリリースされることを示すＴＴＩ毎リリース信号を、前記第１のＴＴＩの前に生じる、前記複数のＴＴＩのうちの先行するＴＴＩにおいて受信することと
を備える方法。
【請求項６】
前記ワイヤレスノードは、基地局であり、前記優先トラフィックは、アップリンク優先トラフィックである、請求項５に記載の方法。
【請求項７】
デコーダに、前記ＴＴＩ毎リリース信号に少なくとも部分的に基づいて、前記第１のＴＴＩの少なくとも一部分の間に、低電力状態に入るように命令すること
をさらに備える、請求項５に記載の方法。
【請求項８】
前記ＴＴＩ毎リリース信号を受信することは、
前記複数のＴＴＩのうちの前記先行するＴＴＩのデータチャネルにおいて、前記ＴＴＩ毎リリース信号を受信すること、ここにおいて、前記先行するＴＴＩは、前記第１のＴＴＩの直前に生じる、
を備える、請求項５に記載の方法。
【請求項９】
ワイヤレス通信のための装置であって、
優先トラフィックの送信のために、複数の送信時間間隔（ＴＴＩ）の各々において、セミパーシステントスケジューリング（ＳＰＳ）リソースのブロックを確立するための手段と、
前記複数のＴＴＩのうちの第１のＴＴＩの間に送信すべき優先トラフィックのレベルが、優先トラフィックしきい値を下回ることを決定するための手段と、
前記第１のＴＴＩにおける前記ＳＰＳリソースのブロックが、前記優先トラフィックのためにリザーブされていることからリリースされることを示すために、前記第１のＴＴＩの前に生じる、前記複数のＴＴＩのうちの先行するＴＴＩにおいてＴＴＩ毎リリース信号を送信するための手段と
を備える装置。
【請求項１０】
前記装置は、ユーザ機器（ＵＥ）であり、前記優先トラフィックは、アップリンク優先トラフィックである、請求項９に記載の装置。
【請求項１１】
送信機に、前記第１のＴＴＩの少なくとも一部分の間に、低電力状態に入るように命令するための手段
をさらに備える、請求項９に記載の装置。
【請求項１２】
前記ＴＴＩ毎リリース信号を送信するための前記手段は、
前記複数のＴＴＩのうちの前記先行するＴＴＩのデータチャネルにおいて、前記ＴＴＩ毎リリース信号を送信するための手段、ここにおいて、前記先行するＴＴＩは、前記第１のＴＴＩの直前に生じる、
を備える、請求項９に記載の装置。
【請求項１３】
ワイヤレス通信のための装置であって、
優先トラフィックの受信のために、複数の送信時間間隔（ＴＴＩ）の各々において、セミパーシステントスケジューリング（ＳＰＳ）リソースのブロックを確立するための手段と、
前記複数のＴＴＩのうちの第１のＴＴＩにおける前記ＳＰＳリソースのブロックが、前記優先トラフィックのためにリザーブされていることからリリースされることを示すＴＴＩ毎リリース信号を、前記第１のＴＴＩの前に生じる、前記複数のＴＴＩのうちの先行するＴＴＩにおいて受信するための手段と
を備える装置。
【請求項１４】
前記装置は、基地局であり、前記優先トラフィックは、アップリンク優先トラフィックである、請求項１３に記載の装置。
【請求項１５】
前記ＴＴＩ毎リリース信号を受信するための前記手段は、
前記複数のＴＴＩのうちの前記先行するＴＴＩのデータチャネルにおいて、前記ＴＴＩ毎リリース信号を受信するための手段、ここにおいて、前記先行するＴＴＩは、前記第１のＴＴＩの直前に生じる、
を備える、請求項１３に記載の装置。
【手続補正２】
【補正対象書類名】明細書
【補正対象項目名】０１４０
【補正方法】変更
【補正の内容】
【０１４０】
[0149]本明細書の説明は、当業者が本開示を製造または使用することを可能にするために提供された。本開示への様々な変更は、当業者には容易に明らかとなり、本明細書で定義した一般原理は、本開示の範囲から逸脱することなく、他の変形形態に適用され得る。したがって、本開示は、本明細書で説明された例および設計に限定されるべきではなく、本明細書で開示された原理および新規の特徴に合致する最も広い範囲を与えられることとなる。
以下に本願の出願当初の特許請求の範囲に記載された発明を付記する。
［書類名］特許請求の範囲
［Ｃ１］
ワイヤレスノードによるワイヤレス通信のための方法であって、
優先トラフィックの送信のために、複数の送信時間間隔（ＴＴＩ）の各々において、セミパーシステントスケジューリング（ＳＰＳ）リソースのブロックを確立することと、  前記複数のＴＴＩのうちの第１のＴＴＩの間に送信すべき優先トラフィックのレベルが、優先トラフィックしきい値を下回ることを決定することと、
前記第１のＴＴＩにおける前記ＳＰＳリソースのブロックが、優先トラフィックのためにリザーブされていることからリリースされることを示すために、ＴＴＩ毎リリース信号を送信することと
を備える方法。
［Ｃ２］
前記第１のＴＴＩの間に優先トラフィックを送信することを控えること
をさらに備える、Ｃ１に記載の方法。
［Ｃ３］
前記第１のＴＴＩにおける前記ＳＰＳリソースのブロック上で、より低い優先度のトラフィックを送信すること
をさらに備える、Ｃ１に記載の方法。
［Ｃ４］
前記優先トラフィックが、前記複数のＴＴＩのうちの後続のＴＴＩにおける送信のために利用可能であることを決定することと、前記後続のＴＴＩは、前記第１のＴＴＩの直後に生じ、
前記後続のＴＴＩにおける前記ＳＰＳリソースのブロックにおいて優先トラフィックを送信することと
をさらに備える、Ｃ１に記載の方法。
［Ｃ５］
前記ＴＴＩ毎リリース信号を送信することは、
前記第１のＴＴＩにおいて、前記ＴＴＩ毎リリース信号を送信すること、ここにおいて、前記ワイヤレスノードは、基地局であり、前記優先トラフィックは、ダウンリンク優先トラフィックである、
を備える、Ｃ１に記載の方法。
［Ｃ６］
前記ＴＴＩ毎リリース信号を送信することは、
前記複数のＴＴＩのうちの第２のＴＴＩにおいて、前記ＴＴＩ毎リリース信号を送信すること、ここにおいて、前記第２のＴＴＩは、前記第１のＴＴＩに先行し、ここにおいて、前記ワイヤレスノードは、ユーザ機器（ＵＥ）であり、前記優先トラフィックは、アップリンク優先トラフィックである、
を備える、Ｃ１に記載の方法。
［Ｃ７］
送信機に、前記第１のＴＴＩの少なくとも一部分の間に、低電力状態に入るように命令すること
をさらに備える、Ｃ１に記載の方法。
［Ｃ８］
前記複数のＴＴＩの各々は、データチャネルに時間的に先行する制御チャネルを含む、Ｃ１に記載の方法。
［Ｃ９］
前記ＴＴＩ毎リリース信号を送信することは、
前記第１のＴＴＩの制御チャネルにおいて、前記ＴＴＩ毎リリース信号を送信すること  を備える、Ｃ８に記載の方法。
［Ｃ１０］
前記ＴＴＩ毎リリース信号を送信することは、
前記複数のＴＴＩのうちの先行するＴＴＩのデータチャネルにおいて、前記ＴＴＩ毎リリース信号を送信すること、ここにおいて、前記先行するＴＴＩは、前記第１のＴＴＩの直前に生じる、
を備える、Ｃ８に記載の方法。
［Ｃ１１］
前記ＴＴＩ毎リリース信号は、単一のビットである、Ｃ１に記載の方法。
［Ｃ１２］
ワイヤレスノードによるワイヤレス通信のための方法であって、
優先トラフィックの受信のために、複数の送信時間間隔（ＴＴＩ）の各々において、セミパーシステントスケジューリング（ＳＰＳ）リソースのブロックを確立することと、  前記複数のＴＴＩのうちの第１のＴＴＩにおける前記ＳＰＳリソースのブロックが、優先トラフィックのためにリザーブされていることからリリースされることを示すＴＴＩ毎リリース信号を受信することと
を備える方法。
［Ｃ１３］
前記ＴＴＩ毎リリース信号に少なくとも部分的に基づいて、前記第１のＴＴＩにおける前記ＳＰＳリソースのブロックを、優先トラフィックのためにリザーブされていることからリリースすること
をさらに備える、Ｃ１２に記載の方法。
［Ｃ１４］
前記第１のＴＴＩにおける前記ＳＰＳリソースのブロック上で、より低い優先度のトラフィックを受信すること
をさらに備える、Ｃ１２に記載の方法。
［Ｃ１５］
前記複数のＴＴＩのうちの後続のＴＴＩにおける前記ＳＰＳリソースのブロックが、排他的な優先トラフィックの使用からリリースされるかどうかを決定するために、後続のＴＴＩ毎リリース信号をモニタすること
をさらに備える、Ｃ１２に記載の方法。
［Ｃ１６］
前記ＴＴＩ毎リリース信号を受信することは、
前記第１のＴＴＩにおいて、前記ＴＴＩ毎リリース信号を受信すること、ここにおいて、前記ワイヤレスノードは、ユーザ機器（ＵＥ）であり、前記優先トラフィックは、ダウンリンク優先トラフィックである、
を備える、Ｃ１２に記載の方法。
［Ｃ１７］
前記ＴＴＩ毎リリース信号を受信することは、
前記複数のＴＴＩのうちの第２のＴＴＩにおいて、前記ＴＴＩ毎リリース信号を受信すること、ここにおいて、前記第２のＴＴＩは、前記第１のＴＴＩに先行し、ここにおいて、前記ワイヤレスノードは、基地局であり、前記優先トラフィックは、アップリンク優先トラフィックである、
を備える、Ｃ１２に記載の方法。
［Ｃ１８］
デコーダに、前記ＴＴＩ毎リリース信号に少なくとも部分的に基づいて、前記第１のＴＴＩの少なくとも一部分の間に、低電力状態に入るように命令すること
をさらに備える、Ｃ１２に記載の方法。
［Ｃ１９］
前記複数のＴＴＩの各々は、データチャネルに時間的に先行する制御チャネルを含む、Ｃ１２に記載の方法。
［Ｃ２０］
前記ＴＴＩ毎リリース信号を受信することは、
前記第１のＴＴＩの制御チャネルにおいて、前記ＴＴＩ毎リリース信号を受信すること  を備える、Ｃ１９に記載の方法。
［Ｃ２１］
前記ＴＴＩ毎リリース信号を受信することは、
前記複数のＴＴＩのうちの先行するＴＴＩのデータチャネルにおいて、前記ＴＴＩ毎リリース信号を受信すること、ここにおいて、前記先行するＴＴＩは、前記第１のＴＴＩの直前に生じる、
を備える、Ｃ１９に記載の方法。
［Ｃ２２］
前記ＴＴＩ毎リリース信号は、単一のビットである、Ｃ１２に記載の方法。
［Ｃ２３］
システムにおける、ワイヤレス通信のための装置であって、
プロセッサと、
前記プロセッサと電子通信状態にあるメモリと、
前記メモリに記憶され、かつ前記プロセッサによって実行されると、前記装置に、
優先トラフィックの送信のために、複数の送信時間間隔（ＴＴＩ）の各々において、セミパーシステントスケジューリング（ＳＰＳ）リソースのブロックを確立することと、    前記複数のＴＴＩのうちの第１のＴＴＩの間に送信すべき優先トラフィックのレベルが、優先トラフィックしきい値を下回ることを決定することと、
前記第１のＴＴＩにおける前記ＳＰＳリソースのブロックが、優先トラフィックのためにリザーブされていることからリリースされることを示すために、ＴＴＩ毎リリース信号を送信することと
を行わせるように動作可能な命令と
を備える装置。
［Ｃ２４］
システムにおける、ワイヤレス通信のための装置であって、
プロセッサと、
前記プロセッサと電子通信状態にあるメモリと、
前記メモリに記憶され、かつ前記プロセッサによって実行されると、前記装置に、
優先トラフィックの受信のために、複数の送信時間間隔（ＴＴＩ）の各々において、セミパーシステントスケジューリング（ＳＰＳ）リソースのブロックを確立することと、    前記複数のＴＴＩのうちの第１のＴＴＩにおける前記ＳＰＳリソースのブロックが、優先トラフィックのためにリザーブされていることからリリースされることを示すＴＴＩ毎リリース信号を受信することと
を行わせるように動作可能な命令と
を備える装置。
［Ｃ２５］
ワイヤレス通信のための装置であって、
優先トラフィックの送信のために、複数の送信時間間隔（ＴＴＩ）の各々において、セミパーシステントスケジューリング（ＳＰＳ）リソースのブロックを確立するための手段と、
前記複数のＴＴＩのうちの第１のＴＴＩの間に送信すべき優先トラフィックのレベルが、優先トラフィックしきい値を下回ることを決定するための手段と、
前記第１のＴＴＩにおける前記ＳＰＳリソースのブロックが、優先トラフィックのためにリザーブされていることからリリースされることを示すために、ＴＴＩ毎リリース信号を送信するための手段と
を備える装置。
［Ｃ２６］
前記第１のＴＴＩの間に優先トラフィックを送信することを控えるための手段
をさらに備える、Ｃ２５に記載の装置。
［Ｃ２７］
前記第１のＴＴＩにおける前記ＳＰＳリソースのブロック上で、より低い優先度のトラフィックを送信するための手段
をさらに備える、Ｃ２５に記載の装置。
［Ｃ２８］
前記優先トラフィックが、前記複数のＴＴＩのうちの後続のＴＴＩにおける送信のために利用可能であることを決定するための手段と、前記後続のＴＴＩは、前記第１のＴＴＩの直後に生じ、
前記後続のＴＴＩにおける前記ＳＰＳリソースのブロックにおいて優先トラフィックを送信するための手段と
をさらに備える、Ｃ２５に記載の装置。
［Ｃ２９］
前記ＴＴＩ毎リリース信号を送信するための前記手段は、
前記第１のＴＴＩにおいて、前記ＴＴＩ毎リリース信号を送信するための手段、ここにおいて、前記装置は、基地局であり、前記優先トラフィックは、ダウンリンク優先トラフィックである、
を備える、Ｃ２５に記載の装置。
［Ｃ３０］
前記ＴＴＩ毎リリース信号を送信するための前記手段は、
前記複数のＴＴＩのうちの第２のＴＴＩにおいて、前記ＴＴＩ毎リリース信号を送信するための手段、ここにおいて、前記第２のＴＴＩは、前記第１のＴＴＩに先行し、ここにおいて、前記装置は、ユーザ機器（ＵＥ）であり、前記優先トラフィックは、アップリンク優先トラフィックである、
を備える、Ｃ２５に記載の装置。
［Ｃ３１］
送信機に、前記第１のＴＴＩの少なくとも一部分の間に、低電力状態に入るように命令するための手段
をさらに備える、Ｃ２５に記載の装置。
［Ｃ３２］
前記複数のＴＴＩの各々は、データチャネルに時間的に先行する制御チャネルを含む、Ｃ２５に記載の装置。
［Ｃ３３］
前記ＴＴＩ毎リリース信号を送信するための前記手段は、
前記第１のＴＴＩの制御チャネルにおいて、前記ＴＴＩ毎リリース信号を送信するための手段
を備える、Ｃ３２に記載の装置。
［Ｃ３４］
前記ＴＴＩ毎リリース信号を送信するための前記手段は、
前記複数のＴＴＩのうちの先行するＴＴＩのデータチャネルにおいて、前記ＴＴＩ毎リリース信号を送信するための手段、ここにおいて、前記先行するＴＴＩは、前記第１のＴＴＩの直前に生じる、
を備える、Ｃ３２に記載の装置。
［Ｃ３５］
前記ＴＴＩ毎リリース信号は、単一のビットである、Ｃ２５に記載の装置。
［Ｃ３６］
ワイヤレス通信のための装置であって、
優先トラフィックの受信のために、複数の送信時間間隔（ＴＴＩ）の各々において、セミパーシステントスケジューリング（ＳＰＳ）リソースのブロックを確立するための手段と、
前記複数のＴＴＩのうちの第１のＴＴＩにおける前記ＳＰＳリソースのブロックが、優先トラフィックのためにリザーブされていることからリリースされることを示すＴＴＩ毎リリース信号を受信するための手段と
を備える装置。
［Ｃ３７］
前記ＴＴＩ毎リリース信号に少なくとも部分的に基づいて、前記第１のＴＴＩにおける前記ＳＰＳリソースのブロックを、優先トラフィックのためにリザーブされていることからリリースするための手段
をさらに備える、Ｃ３６に記載の装置。
［Ｃ３８］
前記第１のＴＴＩにおける前記ＳＰＳリソースのブロック上で、より低い優先度のトラフィックを受信するための手段
をさらに備える、Ｃ３６に記載の装置。
［Ｃ３９］
前記複数のＴＴＩのうちの後続のＴＴＩにおける前記ＳＰＳリソースのブロックが、排他的な優先トラフィックの使用からリリースされるかどうかを決定するために、後続のＴＴＩ毎リリース信号をモニタするための手段
をさらに備える、Ｃ３６に記載の装置。
［Ｃ４０］
前記ＴＴＩ毎リリース信号を受信するための前記手段は、
前記第１のＴＴＩにおいて、前記ＴＴＩ毎リリース信号を受信するための手段、ここにおいて、前記装置は、ユーザ機器（ＵＥ）であり、前記優先トラフィックは、ダウンリンク優先トラフィックである、
を備える、Ｃ３６に記載の装置。
［Ｃ４１］
前記ＴＴＩ毎リリース信号を受信するための前記手段は、
前記複数のＴＴＩのうちの第２のＴＴＩにおいて、前記ＴＴＩ毎リリース信号を受信するための手段、ここにおいて、前記第２のＴＴＩは、前記第１のＴＴＩに先行し、ここにおいて、前記装置は、基地局であり、前記優先トラフィックは、アップリンク優先トラフィックである、
を備える、Ｃ３６に記載の装置。
［Ｃ４２］
デコーダに、前記ＴＴＩ毎リリース信号に少なくとも部分的に基づいて、前記第１のＴＴＩの少なくとも一部分の間に、低電力状態に入るように命令するための手段
をさらに備える、Ｃ３６に記載の装置。
［Ｃ４３］
前記複数のＴＴＩの各々は、データチャネルに時間的に先行する制御チャネルを含む、Ｃ３６に記載の装置。
［Ｃ４４］
前記ＴＴＩ毎リリース信号を受信するための前記手段は、
前記第１のＴＴＩの制御チャネルにおいて、前記ＴＴＩ毎リリース信号を受信するための手段
を備える、Ｃ４３に記載の装置。
［Ｃ４５］
前記ＴＴＩ毎リリース信号を受信するための前記手段は、
前記複数のＴＴＩのうちの先行するＴＴＩのデータチャネルにおいて、前記ＴＴＩ毎リリース信号を受信するための手段、ここにおいて、前記先行するＴＴＩは、前記第１のＴＴＩの直前に生じる、
を備える、Ｃ４３に記載の装置。
［Ｃ４６］
前記ＴＴＩ毎リリース信号は、単一のビットである、Ｃ３６に記載の装置。